Podtech/llm-jp-corpus-v4-ja_patent huggingface dataset:
(57)【要約】【課題】  団扇の使用時に、手首と腕が疲れて、扇ぐ力が弱くなり約二分の一の風が、側面へ散乱するのを自動的に防止する。旋風形風起こすの団扇を提供する。【解決手段】  団扇の取っ手部に、扇ぐに的する弾力性のばね取っ手を設け、大腿部の付け根に当て、扇ぐと団扇面が自動的に回転することを特徴とする旋風形風起こすの団扇。【選択図】図１
2015147019.tif 000002
【特許請求の範囲】
【請求項１】
団扇の取っ手部に、扇ぐに的する弾力性の、ばね取っ手を設け、握る部に、粘着テープを巻き、この末端部にスポンジ台と、すべり止めを設け、大腿部の付け根に当て、扇ぐと団扇面が自動的に回転することを特徴とする旋風形風起こすの団扇。
【発明の詳細な説明】
【技術分野】
【０００１】  本発明は、団扇の使用時に手首と腕が疲れて、扇ぐ力が弱くなり、約二分の一の風が、側面へ散乱するのを自動的に防止することを特徴とする旋風形風起こすの団扇に関するものである。
【背景技術】
【０００２】  従来、取っ手は、板状のものであり、使用の際指先で撮む扇ぎをしていた。また、取っ手が、固いために手首の動きを早めながら扇いでいた。
【発明の開示】
【発明が解決しようとする課題】
【０００３】  そのために、次のような問題点があった。
（イ）熱射を凌ぐために、団扇を使用した場合、力任せに扇ぐために手首や腕と肩が疲      れたりして、休みながら扇いでいた。また、団扇面から起こる風が、両側面の耳部      に強く吹き当り幅広く散乱する為に身体に対し、風力が落ちていた。
（ロ）団扇面に取り付けた、板状取っ手は、改良されることなく大昔より現在に至って      いる。また、竹材からポリプロピレンの取っ手に改良されているが、効果は上記と      同様であった。
本発明は、以上の問題点を解決すしようとするものである。
【課題を解決するための手段】
【０００４】  団扇の取っ手部に、扇ぐに的する弾力性のばね取っ手を設ける。そしてばねの握る部に、粘着テープを巻き、端部にスポンジ台とすべり止めを設け、大腿部の付け根に当て扇ぐと自動的に回転する。
以上を特徴とする旋風形風起こしの団扇である。
【発明の効果】
【０００５】  本発明は、団扇の取っ手部骨子を、ばね取っ手口に差し込み設け、ばねの弾力性により、扇ぐと同時に団扇面が自動的に回転し、渦巻き状の涼風を送風するにより、側面へ風が放散することなく、涼風全体を身体に受けるため、力を入れて扇ぐ煩わしさがない。
【図面の簡単な説明】
【０００６】
【図１】  本発明の斜視図
【図２】  本発明の分解斜視図
【図３】  従来の使用状態を示す斜視図
【図４】  本発明の使用状態を示す斜視図
【発明を実施するための最良の形態】
【０００７】以下、本発明の実施の形態を説明する。
（イ）骨子全面（１）に、旋風模様（２）からなる紙を貼付し、また取っ手部に取っ手骨      子（１ａ）が形成されている。
（ロ）取っ手骨子部（１ａ）を、ばね取っ手（３）の口中に設け、握る部面に粘着テープ      （４）を巻きつける。
（ハ）ばね取っ手（３）の下端部を、スポンジ台（５）の取り付け穴（７）に設ける。
（ニ）スポンジ台（５）底に、不織布（６）を接着する。
本発明は、以上の構成よりなっている。
従来、団扇（Ａ）は、江戸時代以前の物であり、手指で操りながら扇ぎ、風を図３のように放散（Ｄ）させながら、力任せに煽いでいた。
本発明を使用するときは、ばね取っ手（３）に巻きつけた粘着テープ（４）を握り持つ、前後に扇ぐと同時に骨子（１ａ）が連鎖反応を起こし、自動的にばね取っ手（３）の弾力性により旋風を巻き起こし、身体に向け集中的に涼風を送る。そこで、ばね取っ手（３）の端部に取り付けたスポンジ台（５）は握る手に違和感を与えないためと、底部に設けた不織布（６）は、扇ぐ動作により、当て生地からのすべりを防止することができる。また、大腿部を利用することなく強力に扇ぐと、旋風が竜巻状になるという効果を発揮する。
【符号の説明】
【０００８】１    骨子面
１ａ  取っ手骨子部
２    旋風模様紙
３    ばね取っ手
４    粘着テープ
５    スポンジ台
６    不織布
７    取り付け穴
８    旋風範囲
Ａ    団扇面
Ｂ    骨子
Ｃ    板状取っ手
Ｄ    散乱風
【図１】
2015147019.tif 000003
【図２】
2015147019.tif 000004
【図３】
2015147019.tif 000005
【図４】
2015147019.tif 000006
(57)【要約】【課題】      カットクロスの襟から、切った髪が首筋に入らないように、また、クロス襟を止める部分が、後ろ襟の表に出て作業の支障にならないように、首回り専用形状をしたカットクロスで後ろ襟側を重ねて止め、さらにクロス襟の一端を前襟側で止める、フロントネックカットクロスを提供する。【解決手段】  カットクロス襟（１）に、首回り専用形状（２）を設け、重ねてクロスの裏襟側を止め、クロス片方の襟を前襟側で止めることが特徴の、フロントネックカットクロスとする。【選択図】図２
2015147016.tif 000002
【特許請求の範囲】
【請求項１】
カットクロス（１）に、首回り専用形状（２）を設け、止める部分を後ろ内側と前襟側に設けたフロントネックカットクロス。
【発明の詳細な説明】
【技術の分野】
【０００１】この発明は、カットクロスの襟を止める部分を、首回り専用形状を設け、後ろ襟を重ねて止め、もう片方のクロス襟部分を前襟側で止める、フロントネックカットクロスに関するものである。
【背景技術】
【０００２】従来、カットクロス襟部分は一重で止め、しかも、止める部分が後ろ襟の表側だった。
【発明の開示】
【発明が解決しようとする課題】
【０００３】これは、次のような欠点があった。
従来、カットクロスの襟部分をとめる場合は一重でとめるだけであり、カットした髪が首筋に入りやすかった。また、カットクロスの止めた部分が後ろ襟側に出たままなので、髪をとかしたときにクロス襟が外れやすく、作業に支障があった。
本発明は、以上のような欠点をなくすためになされたものである。
【課題を解決するための手段】
【０００４】カットクロス襟（１）に、首回り専用形状（２）を設け  後ろ襟を重ねて止め、もう片方の襟部分を前襟側で止めるようにした。
本発明は、以上の構成よりなるフロントネックカットクロスである。
【発明の効果】
【０００５】カットクロスの襟を二重に止めるため、カットされた髪が首筋に入らなくなり、お客様の不快感が解消される。また、クロスを止める部分が後ろ襟側に出ることがなく、櫛やハサミの引っかかりがなく作業効率が上がる。
【発明を実施するための最良の形態】
【０００６】以下、本発明を実施するための最良の形態について説明する。
カットクロス（１）に、首回り専用形状（２）を設ける。
カットクロス（１）に、首回り専用形状（２）設け、後ろ内側と前襟部分で止める。
本発明は、以上のような構造である。
これを使用するときは、クロスの後ろ襟をとめ、首回り専用形状をしたクロスを重ね、前襟側で止める。お客様の首筋にフィットし、カットされた髪が首筋に入らなくなる。
またクロスの止めた部分が後ろ襟の表に出ず、櫛やハサミの引っかかりがなく作業効率も上がる。
【図面の簡単な説明】
【０００７】
【図１】      本発明の正面図である。
【図２】      本発明の後方図である。
【符号の説明】
【０００８】１  カットクロス
２  首回り専用形状
【図１】
2015147016.tif 000003
【図２】
2015147016.tif 000004
(57)【要約】【課題】  ハサミを使う時、えんぴつや定規を使って、紙や布に線をひいたりするがえんぴつや定規が見当たらない事はよくあることである。【解決手段】  ハサミ、ハサミカバー、定規と筆記用具をセットにします。  ハサミカバーを折りたたみ式定規型にし、えんぴつなどを装着できる様に凸部をつけます。えんぴつの先を入れる部分は、折りたたみ式定規を使い易いようにするために、指先で持つ部分になっています。【選択図】図１
2015147018.tif 000002
【特許請求の範囲】
【請求項１】
ハサミの刃を保護する為だけのハサミカバーが、定規に変形する。
【請求項２】
折りたたみ定規式のハサミカバーに、えんぴつなどの筆記用具を装着させることが出来る。
【請求項３】
えんぴつの先を入れる部分が、定規として使用する時の持つ部分になる。
【発明の詳細な説明】
【技術分野】
【０００１】  この発明は、筆記用具が装着できる折りたたみ式定規になるハサミカバーに関するものである。
【背景技術】
【０００２】  従来のハサミカバーは、ハサミの刃がむき出しのままだと危険な為、それを保護するだけの物でした。
【発明の概要】
【発明が解決しようとする課題】
【０００３】  ハサミを使う時、えんぴつや定規を使って、紙や布に線をひいたりするがえんぴつや定規が見当たらない事はよくあることである。
【課題を解決するための手段】
【０００４】  ハサミの刃を保護する為だけのハサミカバーを、折りたたみ式定規型にし、えんぴつなどを装着できるようにする。
【発明の効果】
【０００５】  本発明があれば、筆記用具や定規を探すことがなくなり、ハサミ、定規筆記用具がいつでも３点でセットにする事ができる。
【発明を実地するための形態】
【０００６】  ・ハサミカバーを長方形の箱型にし、小さい面５の方からハサミを出し入れする。
・小さい面６と面３はつがいにし、面３は１８０°開くようにする。
・開いた面３と面２には目盛りを付け、開いた状態で定規として使用できる。
・面１は、えんぴつが装着出来る様に、面６側にえんぴつの先を入れる凸部７を付け、面５側にはえんぴつの胴をはさむ凸部８を付ける。
・面１のえんぴつ先を入れる凸部８の部分は、定規として使用する際に指で摘める様にし、子供にも使い易いようにする。
・またハサミカバーが定規になる他の形として、長方形の底が開く形ではなく、小さい面の中央をつがいにし、大きい面が半分に開き定規になる形や長方形の箱型を２重にして、内側と外側がスライドして定規になる形なども考えている。
【図面の簡単な説明】
【図１】  定規式ハサミカバーにハサミがセットされている状態の斜視図
【図２】  定規式ハサミカバーの斜視図
【図３】  定規式ハサミカバーの右側面図
【符号の説明】
【０００７】  面１〜６…長方形の面の番号
凸部７  …えんぴつの先を入れる部分、定規として使う時の持つ部分
凸部８  …えんぴつの中央部を挟む部分
【図１】
2015147018.tif 000003
【図２】
2015147018.tif 000004
【図３】
2015147018.tif 000005
(57)【要約】【課題】  公共の交通手段を利用する際において、乳幼児を連れての外出は、問題が２点ある。まず、スペースをとるベビーカーの使用は、混雑時に不向きであるという点。つぎに、車内で乳幼児がぐずり易いという点である。【解決手段】抱っこ紐を利用して抱っこをすれば、スペースをとらないし、親と子の密着も高くなるため、子どもは心の安定を得られ、泣くことが減る。しかし、親の肩や腰にかかる負担は大きい。そこで、重さを軽減するサポート器具を併用することにより、解決する。【選択図】図１
2015147021.tif 000002
【特許請求の範囲】
【請求項１】
乳幼児用抱っこひもと併用することにより、重さを分散することができる、杖状のサポート器具
【発明の詳細な説明】
【技術分野】
【０００１】  本発明は、抱っこ関連の育児用品に付随して使用することで、乳幼児の体重を支えるサポート用の器具である。
【背景技術】
【０００２】  公共の乗り物の中で、ベビーカーに乗せられている乳幼児が泣きだすことが多く起きている。ベビーカーから抱き上げ、あやす親も多い。親と乗客の精神的疲労が生じているほか、ＳＮＳなどでも、度々話題となっている。【０００３】  公共の乗り物の中で、ベビーカーは相当のスペースをとるため、混雑時には向いていない。
【発明の概要】
【発明が解決しようとする課題】
【０００４】  乳幼児を連れての外出は、できるだけ軽快に、楽にしたいものであり、且つ、周りに迷惑をかけずに、親も子も気持ちよくいたいものである。
その両面を解決するためには、乳幼児には抱っこであり、親には抱っこの負担を軽減することである。
【課題を解決するための手段】
【０００５】  乳幼児の精神的安定は抱っこにより、解決される。親の体力的問題は、抱っこを下から支えて体重を乗せるようにサポートすることで解決される。
【発明の効果】
【０００６】  立っているときであれば、いつでも簡単に使え、スペースもとらない点で、混雑時のバスや電車の乗車時にも利便性が高く、抱っこによる乳幼児の心の安定がたもたれる。結果、全ての乗客のストレスが軽減される。
【図面の簡単な説明】
【０００７】
【図１】使用時の外観図
【図２】正面からの外観図
【図３】不使用時の外観図
【発明を実施するための形態】
【０００８】  以下、本発明の実施を図１〜図３に基づいて説明する。
【０００９】  １  乳幼児を座らせる座面。
【００１０】  ２  ぐらつき防止のハンドル。片手で握り、もう片方のあいた手で、吊り皮などに掴まることができる。
【００１１】  ３  伸縮機能と、高さ調節のためのアジャスター。
【００１２】  ４  伸縮機能のボタン式ストッパー。
【００１３】  ５  床面との滑り止め用のゴム。
【００１４】  図３のように、使用していないときは、縮めてコンパクト収納できる。
【図１】
2015147021.tif 000003
【図２】
2015147021.tif 000004
【図３】
2015147021.tif 000005
【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
座面部と、座面部の下面から下方に延出する棒状部と、前記棒状部の前記座面部との接続部分よりも下の中間位置と、前記座面部の前記接続部分から離れた第１位置とをつなぐ第１のハンドルとを備えた乳幼児のサポート器具。
【請求項２】
前記棒状部を挟んで前記第１のハンドルの反対側に設けられ、前記中間位置と、前記座面部の前記接続部分から離れた第２位置とをつなぐ第２のハンドルを備えた請求項１に記載の乳幼児のサポート器具。
(57)【要約】      （修正有）【課題】傘、杖を病院や銀行、郵便局などのカウンターや壁に立て掛けたり引っかけたりしたときに滑って傾斜転倒することを防止する滑り止めとして用いるとき、傘、杖を手から離したときに、倒れるのを防止できるように工夫した、傘、杖転倒防止補助具を提供する。【解決手段】挟み具１に櫛状のすべり止め歯２を設け、櫛状のすべり止め歯２にシリコンゴムパイプ３を装着し、挟み具１の内側に面テープ固着用部材４を設け、挟み具１と面テープを紐などの連結具で結ぶ。【選択図】図１
2015147023.tif 000002
【特許請求の範囲】
【請求項１】
挟み具（１）に櫛状のすべり止め歯（２）を設け、櫛状のすべり止め歯（２）にシリコンゴムパイプ（３）を装着し、挟み具（１）の内側に面テープ固着用部材（４）を設け、挟み具（１）と面テープ（５）を紐などの連結具（６）で結んだことを特徴とする傘、杖の転倒補助具。
【発明の詳細な説明】
倒れた傘、杖を拾うとき、転倒する危険、倒れた傘、杖により起こる事故を防止するため、本発明を取り付けることで、安全と安心を計ることができる。
【課題を解決するための手段】
【０００５】  挟み具（１）に櫛状のすべり止め歯（２）を設け、櫛状のすべり止め歯（２）にシリコンゴムパイプ（３）を装着し、挟み具（１）の内側に面テープ固着用部材（４）を設け、挟み具（１）と面テープ（５）を紐などの連結具（６）で結んだことを特徴とする傘、杖の転倒補助具である。
【発明の効果】
【０００６】  本発明の課題は以上のような不便を解決し、あらゆる使用状況にも対応して、傘、杖の転倒を置き忘れを防止できるような補助具を提供できる。
傘、杖（７）の任意の位置に固定するための櫛状のすべり止め先端を吸盤状に平面にしたシリコン、ゴム、パイプ装着したチェーン、紐や革で連結構成できる。
上述のような手段によって、図２に示すように傘、杖（７）の位置に装着された本発明品を使用することで生じる効果は以下の通りである。
金属、または、プラスチックで構成された挟み具（１）を図２、５は強力な粘着材の面テープ（５）、または、金属、プラスチックなどで成形された環状で固定され挟み具（１）によって保持されるので、ぶらつきがない、邪魔にならない。
適度なサイズを有する連結部材、面テープ固着用部材（４）、面テープ（５）は、ストラップの役割を果たす。
お店で買い物をするとき、レジ周りや、駅で切符を買う際、または、レストランなどで食事をするときなど、一時的に傘や杖を両手から外した挟み具（１）を衣類や手持ちバッグにクリップの要領で挟むことで転倒と置き忘れを防ぐことができる。
取り付け、輪部の面テープ（５）は、面テープ、または、合成樹脂、金属なので対応するので、どんな傘や杖（７）の柄の部にも市販品にも対応し、使用することができる。
本発明品を杖（７）に装着したまま固定することでぶらつきすることなくアクセサリーとしての効果も生じる。
挟み具（１）のデザインや素材、仕上げ加工を工夫することで、老若男女それぞれに対応する商品の企画ができる。
【発明を実施するための形態】
【０００７】  以下、本発明の実施の形態について説明する。
挟み具（１）に櫛状のすべり止め歯（２）を設ける。
櫛状のすべり止め歯（２）にシリコンゴムパイプ（３）を装着する。
挟み具（１）の内側に面テープ固着用部材（４）を設ける。
挟み具（１）と面テープ（５）を紐などの連結具（６）を結ぶ。
本発明は以上のように構成された傘、杖の転倒補助具である。
本発明の使い方を説明する。
本発明品を使用することで、傘、杖（７）に取り付けた本発明品をテーブルの天板（８）、机、家具などに挟みより添わせたり、衣服や持ち物に簡単に挟むことができる。
さらに、滑り止め櫛状に装着したシリコン、ゴムパイプ先端の平面吸盤状でずれを強力に防止して、歩行時に杖にかかる体重の圧力は身体不自由者の杖に関しては、一歩一歩の圧力が非常に強く、挟持具のぶらつきが免れないので櫛状のパイプ滑り止めが完全に転倒を防止の目的を果たして、本発明品を使用することによって、傘、杖（７）の置き忘れや両手を使用するときにも邪魔にならなくて保持できるものである。
【図面の簡単な説明】
【０００８】
【図１】  本発明の挟み具の斜視図である。
【図２】  本発明の挟み具と面テープを紐などの連結具で結んだ説明図である。
【図３】  本発明の杖に取り付けた説明図である。
【図４】  本発明のシリコンゴムの説明図である。
【図５】  本発明の使用状態を示した説明図である。
【符号の説明】
【０００９】  １  挟み具
２  櫛状のすべり止め歯
３  シリコンゴムパイプ
４  面テープ固着用部材
５  面テープ
６  紐などの連結具
７  杖
８  テーブルなどの天板
【図１】
本発明の挟み具の斜視図である。
【図２】
本発明の挟み具と面テープを紐などの連結具で結んだ説明図である。
【図３】
本発明の杖に取り付けた説明図である。
【図４】
本発明のシリコンゴムの説明図である。
【図５】
本発明の使用状態を示した説明図である。
【符号の説明】
【０００９】  １  挟み具
２  櫛状のすべり止め歯
３  シリコンゴムパイプ
４  面テープ固着用部材
５  面テープ
６  紐などの連結具
７  杖
８  テーブルなどの天板
【図１】
2015147023.tif 000003
【図２】
2015147023.tif 000004
【図３】
2015147023.tif 000005
【図４】
2015147023.tif 000006
【図５】
2015147023.tif 000007
(57)【要約】      （修正有）【課題】本発明は、故障の発生抑えつつ、ダンプに積載された土砂を覆うことができる崩壊防止シ−トを提供する。【解決手段】崩壊防止シ−ト100は、ダンプの箱1に積載された、土砂8を覆い、四角形状に形成され、一方側縁が、ダンプの箱1の前方側端部に接続され、他方側縁が自由端であり、一方側縁から他方の側縁まで形成されて気密性を有する袋部を有するシ−ト3と、シ−ト3の他方側縁に固定された棒状体6と、シ−ト3の左右側縁にそれぞれ固定され、シ−ト3を棒状体6に巻き回すように付勢する板スプリングと、気体を出し入れするエアーポンプ4とを備える。【選択図】図１
2015147489.tif 000002
【特許請求の範囲】
【請求項１】
ダンプの箱に積載された土砂を覆う崩壊防止シ−トであって、土砂を覆い、四角形状に形成され、一方側縁が、ダンプの箱の前方側端部に接続され、他方側縁が自由端であり、一方側縁から他方の側縁まで形成されて気密性を有する袋部を有するシ−トと、シ−トの他方側縁に固定された棒状体と、シ−トの左右側縁にそれぞれ固定され、シ−トを棒状体に巻き回すように付勢する板スプリングと、気体を出し入れするエアーポンプとを備える崩壊防止シート。
【発明の詳細な説明】
【技術分野】
【０００１】
本発明は大型ダンプに積載された土砂に被せる崩壊防止 シート関する。
【背景技術】
【０００２】
大型ダンプの運転士が工事現場で積み込み後に高速道路を乗るので荷台全面にシートを掛ける時に・横風に吹かれて荷台から落ちるという事故が絶えない。
【０００３】
従来のダンプトラックには、荷台の側板の外側にシ−ト枠が扇動可能に設けられているものが多い。  そしてこのシ−ト枠にはシ−トが張られており、土砂等を搭載して運搬する時このシ−ト枠を扇動させて積荷の両側部に起立させ土砂の落下や飛散を防止している。
【０００４】
このようなシ−ト枠として、特許文献1には荷台の両側に設けられ扇動軸に支持された主シ−ト枠とこのシ−ト枠の先端側に支軸を介して揺動可能に設けた補助シ−ト枠との二重折り畳みシ−ト枠で構成し主シ−ト枠の扇動起立作動に伴ってシ−ト枠を開き作動させて、荷台の天井開放部を覆うシ−ト枠が提案されている。特許文献1のシ−ト枠によれば、大型ダンプカーの荷台に自動でシ−トがかぶさるので運転手がいちいち乗り降りして、シ−トをかぶせなくても、道路を汚さずに走れる。
【先行技術文献】
【特許文献】
【０００５】
【特許文献１】特開平10-244868号公報
【発明の概要】
【発明が解決しようとする課題】
【０００６】
しかしながら特許文献1のシ−ト枠は枠同士が回動可能に連結されているが、この連結部分に土砂等が侵入し、回動を妨げ故障する場合があった。
【０００７】
本発明は、故障の発生抑えつつ、ダンプに積載された土砂を覆うことができる崩壊防止シ−トを提供する。
【課題を解決するための手段】
【０００８】
ダンプの箱に積載された土砂を覆う崩壊防止シ−トであって、土砂を覆い、四角形状に形成され、一方側縁が、ダンプの箱の前方側端部に接続され、他方側縁が自由端であり、一方側縁から他方の側縁まで形成されて気密性を有する袋部を有するシ−トと、シ−トの他方側縁に固定された棒状体と、シ−トの左右側縁にそれぞれ固定され、シ−トを棒状体に巻き回すように付勢する板スプリングと、気体を出し入れするエアーポンプと、を備える崩壊防止シート。
【発明の効果】
【０００９】
本発明によれば、機械的な可動部を無くし、気体の出し入れで、シ−トを広げ、又丸めて収容する。よって故障の発生を抑えつつ、ダンプに積載された土砂を覆うことができる崩壊防止シ−トを提供できる。
【図面の簡単な説明】
【００１０】
【図１】本発明は実施形態に係る崩壊防止シ−トの収容した状態の側面図である。
【図２】本実施形態に係る崩壊防止シ−トの収容した状態の平面図である。
【図３】本実施形態に係る崩壊防止シ−トの土砂を覆った状態の平面図である。
【図４】本実施形態に係る崩壊防止シ−トの土砂を覆った状態において、更に自動シートで押えた状態の平面図である。
【図５】本実施形態の応用例に係る崩壊防止シ−トを説明する図である。
【図６】本実施形態の応用例に係る崩壊防止シ−トを説明する図である。
【発明を実施するための形態】
【００１１】
図1は、本発明は実施形態に係る崩壊防止シ−トの収容した状態の側面図である。
図2は、本実施形態に係る崩壊防止シ−トの収容した状態の平面図である。
図3は、本実施形態に係る崩壊防止シ−トの土砂を覆った状態の平面図である。
図4は、本実施形態に係る崩壊防止シ−トの土砂を覆った状態において、更に            自動シートで押えた状態の平面図である。
図5は、本実施形態の応用例に係る崩壊防止シ−トを説明する図である。
図6は、本実施形態の応用例に係る崩壊防止シ−トを説明する図である。
【００１２】
崩壊防止シ−ト100は、ダンプの箱1に積載された、土砂8を覆い、四角形状に形成され、一方側縁が、ダンプの箱1の前方側端部に接続され、他方側縁が自由端であり、一方側縁から他方の側縁まで形成されて気密性を有する袋部5を有するシ−ト3と、シ−ト3の他方側縁に固定された棒状体6と、シ−ト3の左右側縁にそれぞれ固定され、シ−ト3を棒状体6に巻き回すように付勢する板スプリング7と、気体を出し入れするエアーポンプ4と、を備える。
【００１３】
次に崩壊防止シ−ト100の操作を説明する。
ダンプ200には、箱1の横のアオリに自動シ−ト10が付いている。これを風よけに直立に立てて、丸まっているシ−ト3は、エアーポンプ4から袋部5に気体が流入をされることで後ろに伸びて行く。シート3の他方側縁には棒状体6が固定されているので、他方側縁が乱れるのを防止できる。板スプリング7を付けたので、シ−ト3がよじれるのを防止できる。自動シ−ト10を内側に倒す。これにより、シ−ト3の左右側縁が自動シ−ト10によって押えられるので、走行中にシ−ト3がめくれるのを防止できる。
【００１４】
次に、エアーポンプ4により、袋部5から空気を抜く、すると、シ−トは3、棒状体6に巻かれながら他方側縁から箱1の前方側に移動する。これより、シート3を棒状体6に巻くことができる。
【００１５】
図5、または図6に示すように、応用例に係る崩壊防止シ−ト100Aは、棒状体6の左右端部に両端が接続された、ゴムひも11を備える。ゴムひも11は図6に示すように、崩壊防止シ−ト100Aが広げられた状態で、ダンプ200の後部に引掛けられる。これより、崩壊防止シ−ト100Aが、めくれるのを防止できる。
【符号の説明】
【００１６】
100  崩壊防止シ−ト    、200  ダンプ    
1  ダンプの箱、2  プロテクタ、3  シ−ト、4  エアーポンプ、5  袋部、6  棒状体、
7  板スプリング、8  土砂、9  重機バケット、10  自動シ−ト、11  ゴムひも
【図１】
2015147489.tif 000003
【図２】
2015147489.tif 000004
【図３】
2015147489.tif 000005
【図４】
2015147489.tif 000006
【図５】
2015147489.tif 000007
【図６】
2015147489.tif 000008
(57)【要約】      （修正有）【課題】長い軸を持った携帯用研磨工具において、鉄材の溶接部分の研磨加工を行う場合など狭い所とか中間に障害物があった場合でも危険性が少なく作業能率の高い研磨工具を提案する。【解決手段】長い軸２の中間にハンドル３を設け、ハンドルの内側にはベアリングを取り付ける。ベアリングと軸の間にギャップを設けてハンドルの持つ位置を容易に変えることができる。ベアリングで軸を支えているため無理な作業にも耐える事ができる。【選択図】図４
2015147291.tif 000002
【特許請求の範囲】
【請求項１】
研磨用砥石を取り付けた軸の中間に軸を支えるハンドルを設けた研磨用工具
【請求項２】
軸に取り付けたハンドルの両内面にベアリングを取り付けた研磨用工具
【請求項３】
ハンドルの内側に取り付けたベアリングの内面と軸の外面にギャップを作り、軸に対してハンドルの移動を容易にした研磨用工具
【請求項４】
軸の先端部分内部にネジを切り、研磨用砥石のネジ部分とジョイントが容易である研磨用工具
【請求項５】
軸５の部分が動力源１とのジョイントが容易であるように細くした研磨用軸
【請求項６】
軸２の先端部分に砥石の軸を止めるネジ１１を付けた研磨用工具
【発明の詳細な説明】
【技術分野】
【０００１】  本発明は、鉄材などの加工を行う場合、溶接部分など凸凹の部分を仕上げる場合、最初サンダーで荒削りを行った後、研磨用工具を使って仕上げるものでありますが、長い軸２の先端に砥石４又はサンドペーパーなどを取り付けて中間を布などで支えて作業を行っているものであり、手に巻き付く心配があり、危険な作業であります。危険性の少ない作業能率の高い工具が望まれるものであります。
本発明は、長い軸の中間にハンドル３を設け、ハンドルの内側にはベアリング７をハンドルの両側の内部に取り付けてあり、ベアリングはシール６と共にスナップリング８によりハンドルに止めてあるため、ベアリング７がハンドル３から外れる心配がなく、またベアリング７と軸２の間にギャップを設けてあり、軸２の外面をベアリング７の内径よりも少し細くしてあり、ハンドル３の位置移動を容易にした構造であります。ハンドル３は必要に応じて軸２が回転したままで速やかに位置の移動が可能であり、作業が容易になるものであります。また、動力源には電気ドリルのような工具を使用する事が最も適しているものと考えられ、チャック１５と軸２をジョイントして片方の手でハンドル３を持ち、もう片方の手で電気ドリル１を持って作業を行うもので、常時ハンドル３と電気ドリル１を手で握っているため、操作が安定している研磨用工具を提供するものであります。
【図面の簡単な説明】
【０００２】  図面は本発明の一実施例を示し、図１は全体の側面図、図２は軸２とハンドル３と研磨用砥石とを組み合わせた側面図、図３は図２の側断面図、図４はハンドルの移動範囲を点線で示した全体の側面図。
【符号の説明】
【０００３】１‐動力源
２‐軸
３‐ハンドル
４‐砥石
５‐軸の動力源とのジョイント部分
６‐シール
７‐ベアリング
８‐スナップリング
９‐軸２と砥石４とのジョイント部分
１０‐砥石４の軸
１１‐砥石の軸と軸２を止めるためのネジ
１２‐電源スイッチ
１３‐電源コード
１４‐点線で示したハンドル３の移動範囲
１５‐動力源と軸２とのジョイント部分
【図１】
2015147291.tif 000003
【図２】
2015147291.tif 000004
【図３】
2015147291.tif 000005
【図４】
2015147291.tif 000006
(57)【要約】      （修正有）【課題】湿度調節機能と高い経年劣化耐久性をもった家具材料およびインテリア材料を提供する。【解決手段】硬化させる際に煉瓦をその内部に含ませてから硬化させた煉瓦を含ませたジオポリマー系コンクリート家具材料およびインテリア材料。煉瓦部分の部分は露出しない様に硬化後、ジオポリマー系コンクリートでコーティングする方法が好ましい。【選択図】なし【特許請求の範囲】
【請求項１】
煉瓦を含ませたジオポリマー系コンクリート家具材料およびインテリア材料。
【発明の詳細な説明】
【技術分野】
【０００１】  この発明は、煉瓦を含ませたジオポリマー系コンクリート家具材料およびインテリア材料である。
【背景技術】
【０００２】  一般に家具やインテリアは木製であることが多い。木材は、経年耐久性という点であまり優れていない。湿気の高い環境にも弱い。そのため永く維持することは困難であった。
木材に対して、ジオポリマー系コンクリートは経年劣化に対する耐久性において特に優れる。そして煉瓦には、比較的高い耐久性と湿度の調節機能がある。
【先行技術文献】
【特許文献】
【発明の概要】
【発明が解決しようとする課題】
【０００３】  ジオポリマー系コンクリートは経年劣化に対する耐久性において特に優れる。しかし湿度に対する調節機能が低いため湿気の高い環境において結露を発生させるリスクがある。
そこで湿度調節機能性をもたせるため、ジオポリマー系コンクリート中に煉瓦を含ませることにした。煉瓦はジオポリマー系コンクリートに包まれる構造となるため、風化による経年劣化は大幅に低減される。これにより全体としても永い耐久性をもつ材料となる。
本発明は、永く発揮できる湿度調節機能と高い経年耐久性を実現するためになされた家具材料およびインテリア材料である。
【課題を解決するための手段】
【０００４】  ジオポリマー系コンクリートとして硬化させる際に、煉瓦をその内部に含ませてから硬化させる。煉瓦部分の露出をなくすため、その上からさらにジオポリマー系コンクリートがコーティングされる形態にするなどの手段が考えられる。
本発明は、煉瓦を含ませたジオポリマー系コンクリート家具材料およびインテリア材料である。
【発明の効果】
【０００５】  材料の主体となる素材のジオポリマー系コンクリートにより優れた経年耐久性をもつ。本発明においては、煉瓦はジオポリマー系コンクリートに包まれる構造となるため、ジオポリマー系コンクリートのもつ経年耐久性によって煉瓦は風化作用から守られ、煉瓦自体の経年劣化を低減できる。これにより、煉瓦のもつ湿度調節機能などの様々な機能を永く発揮できる。つまり、永く発揮することができる湿度調節機能と経年劣化に対する優れた耐久性を主な特長とした家具材料およびインテリア材料となる。
【発明を実施するための形態】
【０００６】  以下、本発明を実施するための形態についてのひとつの例を説明する。
煉瓦を含ませ硬化させてつくる、ジオポリマー系コンクリート家具材料およびインテリア材料。形状や厚みについては、硬化に使用する型枠の形状や厚みによりあらゆるパターンを生み出せる。
本発明の材料を用いて家具またはインテリアを作る。これにより、永く発揮できる湿度調節機能と永い経年耐久性をもつ家具またはインテリアとなる。組み立て時、本発明の材料どうしの接着はジオポリマー系セメントによる接着を行うと耐久性の面でさらに良い。
(57)【要約】【課題】柑橘類の絞り滓のように酸性度の強い残渣物を有効な肥料にする。【解決手段】柑橘類の絞り滓に高温菌の働きとマイクロ波照射管８による加温、および送風管９およびダクト３による空気の吹きつけ・吸引による攪拌を繰り返して温度と含水率を制御することで有機肥料になるように発酵させる。【選択図】図１
2015147717.tif 000002
【特許請求の範囲】
【請求項１】
搾汁した柑橘類の絞り滓を屋根付きの発酵室に山積みしてマイクロ波照射による加温と空気の送風・吸引による空気攪拌により有機肥料化する製造方法において、搾汁した柑橘類の絞り滓に広葉樹のおがくずと米ぬかを混ぜた副資材と前記の副資材に高温菌を加えた菌床材を混合したものを前記発酵室に山積みして、前記発酵室の底部に埋設したマイクロ波照射管からマイクロ波を混合物に照射させて加温し、前記発酵室の底部に埋設した送風管から空気を吹き付け、混合物の上面から吸引ダクトで空気を吸引することで、加温と空気攪拌をさせて発酵させることを特徴とする、柑橘類絞り滓の有機肥料製造方法。
【請求項２】
搾汁した柑橘類の絞り滓に前記副資材と前記菌床材を混合したものを屋根付きの発酵室に山積みして発酵室の底部に滲み出た液をポンプで貯留タンクに回収し、当該液を混合物の含水率を見ながら混合物の上面から吹き付けることを特徴とする、請求項１に記載の柑橘類絞り滓の有機肥料製造方法。
【発明の詳細な説明】
【技術分野】
【０００１】  柑橘類の絞り滓等のような強酸性残渣物を発酵処理して肥料化する方法に関する。
【背景技術】
【０００２】  柑橘類の絞り滓は一般的に産業廃棄物として埋め立てや焼却処分処理をすることが多い。一方、特許文献１にミカン用酵母種菌を用いて通気と攪拌をしながらコンポスト化する方法が提案されているが、攪拌するための装置が必要であり、また一度に大量処理するには不向きであった。
【先行技術文献】
【特許文献】
【０００３】
【特許文献１】  特開２００５−２３９４８９号公報
【発明の概要】
【発明が解決しようとする課題】
【０００４】  本発明は、簡単な設備を備えた発酵室で一度に大量の柑橘類の絞り滓等を有機肥料化する方法を提供することを目的とする。
【課題を解決するための手段】
【０００５】  上記課題を解決するために、屋根付きの発酵室で搾汁した柑橘類の絞り滓を７〜１０日間放置させて、内部から滲み出た液は発酵室の底部からポンプで貯留タンクに回収する。
７〜１０日間放置させて含水率が８０％以下に下がったものに、広葉樹のおがくずに米ぬかを混ぜた副資材と、前記副資材に高温菌を加えた菌床材を混ぜて攪拌する。
標準的な配合容積比率は、柑橘類絞り滓：副資材：菌床材＝５：３：２であるが、柑橘類絞り滓の含水率の多い場合は副資材の量を増やし、含水率が低い場合は副資材の量を減らす。
これらの攪拌した混合物を発酵室で山積みにして発酵させる。
山積みした混合物の発酵を促進させるために発酵室の底面からマイクロ波を照射させて加温する。
同時に、発酵室の底面から空気を送り込み、山積みされた柑橘類絞り滓の上面に置いたダクトで空気を吸い込んで空気攪拌を行う。
発酵の過程において過乾燥した場合は、前記の貯留タンクに溜めた液を上面から噴霧して水分量調整を行う。
発酵温度の上昇具合に応じて重機等を利用した切り返しを行う。
発酵処理は発酵温度が６０℃以下になることにより田畑に撒いても安全で有効な有機肥料になる。期間は約３ヶ月間で完了する。
【発明の効果】
【０００６】  含水率の管理、発酵温度管理、及び高温菌を混入させた事で、従来強酸性で発酵しにくいと言われている柑橘類の絞り滓を有機肥料化出来る。
発酵室の底面から空気を送り込み、上面のダクトで空気を吸い込むダブル空気攪拌方式を採る事により、重機での機械的強制攪拌する回数を半減する事が出来る。
又、発酵室の底面から回収した絞り滓の滲み液の噴霧量を調整することで、出来上がる有機肥料の酸性度を弱酸性から酸性まで希望するものが製造出来る。酸性度が強いものは酸性を好む植物に適した有機肥料になる。
【発明を実施するための形態】
【０００８】  以下、本発明の実施形態について詳細に説明する。
柑橘類の絞り滓を搾汁後７〜１０日間発酵室１に山積みする。発酵室１の底面に滲み出た液はポンプで貯留タンクに汲み上げる。
含水率が８５％以下、好ましくは８０％以下になった柑橘類の絞り滓に、広葉樹のおがくずと米ぬかを混合して作った副資材と、前記副資材に高温菌を加えた菌床材を混合させる。絞り滓と副資材、菌床材の混合物４の容積比率は、５：３：２を標準とする。副資材の配合比率は広葉樹のおがくず９に対し米ぬか１が適当である。菌床材は本発明品の製造過程において高温菌が活発に活動しているところを厳選して繰り返し使用することも出来る。
発酵室１の底面にはマイクロ波照射管８及び送風管９が埋設してある。底部に集まった絞り滓の液はポンプアップされて貯留タンクに回収する。
発酵室１の天井部には空気吸引用のダクト３が配設されており、山積みした混合物４の上面に置いて吸引する。
マイクロ波の照射と空気吹き出し・ダクト吸引の「ＯＮ」−「ＯＦＦ」操作は、外気温の変動や混合物の発酵温度を観察して制御をしている。
2015147717.tif 000003
【０００９】  次にグラフに基づき、発酵日数と発酵温度、含水率について解説する。
（１）柑橘類の絞り滓を入荷した時点では含水率は９０％以上で温度は外気温程度。
（２）この状態で７〜１０日程度放置すると、水分が自然に抜けて内部温度も上昇し出す。
（３）含水率が８０％前後になったところで、副資材と菌床材を加えて混合する。
（４）温度が徐々に上昇
（５）発酵温度が８０℃になるのに凡そ２ヶ月かかる。マイクロ波の照射と空気の吹き出し・吸引は発酵温度が上昇するように「ＯＮ」−「ＯＦＦ」制御する。発酵温度の見ながら上昇具合が鈍った時などに菌の活性化を促すために重機等を利用した切り返しを行う。
（６）含水率が６０％を切ると、発酵温度も徐々に下がってくる。
（７）含水率が５０％を切り発酵温度が６０℃以下になった時点でほぼ発酵処理は終了したと見なし、混合物の山を崩して平積みで自然乾燥させる。
【００１０】  下表は、上記グラフで管理製造した有機肥料の成分含有率を示す。
2015147717.tif 000004
【図面の簡単な説明】
【００１１】
【図１】発酵室の正面図
【図２】発酵室の右側面図。ダクトは混合物の山の上に置き、吸引パイプで空気を吸い込む。マイクロ波照射管及び送風管は発酵室の底部に埋設してある。
【図３】発酵室の平面図。マイクロ波照射管及び送風管は等間隔で配置されている。混合物から滲み出た液は排水口からポンプで貯留タンクに吸い上げられる。（図面上省略している。）
【符号の説明】
【００１２】１    発酵室
２    入り口扉
３    ダクト
４    混合物
５    マイクロ波発射室
６    制御盤
７    送風室
８    マイクロ波照射管
９    送風管
１０  吸引パイプ
１１  排水口
【図１】
2015147717.tif 000005
【図２】
2015147717.tif 000006
【図３】
2015147717.tif 000007
(57)【要約】【課題】自然薯等のイモ類の生育は、種イモを地中に植え付けることから始められる。更に、一般的には切り口に灰や石灰をまぶし植え付ける。しかし、単に灰をまぶしただけでは、自然薯の場合では腐敗することがある。また、石灰やその他の薬剤をまぶす方法では出芽率が低い。そこで効果的な切り口処理剤を提供する。【解決手段】ツバキ科の植物を焼却して得られる灰を主成分とするもの。【選択図】  図１
2015147741.tif 000002
【特許請求の範囲】
【請求項１】
ツバキ科の植物を焼却して得られる灰を主成分とする自然薯の切り口処理剤。
【発明の詳細な説明】
【技術分野】
【０００１】
本発明は、自然薯の切り口処理剤に関するものである。
【背景技術】
【０００２】
自然薯等のイモ類の生育は、種イモを地中に植え付けることから始められる。更に、一般的には切り口に灰や石灰をまぶし、切っていない面を上下にして植え付ける。
【０００３】
例えば、特許文献１には、従来例としてジャガイモの種イモの切り口に灰や石灰をまぶすことが、更には発明としてはク溶性リン酸カルシウムと消石灰をまぶすことが記載されている。
【０００４】
しかし、単に灰をまぶしただけでは、自然薯の場合では腐敗することがある。また、石灰やその他の薬剤をまぶす方法では出芽率がどうしても下がってしまう。
【先行技術文献】
【特許文献】
【０００５】
【特許文献１】特開平８−３０１７１１
【発明の概要】
【発明が解決しようとする課題】
【０００６】
このような現状から、従来では自然薯の栽培が難しく、長芋等と比較しても高価となっていた。本発明では、これを解消する処理剤を提供する。
【課題を解決するための手段】
【０００７】
以上のような状況に鑑み、本発明者は鋭意研究の結果本発明処理剤を完成したものであり、その特徴とするところは、ツバキ科の植物を焼却して得られる灰を主成分とする点にある。
【０００８】
自然薯とは、ヤマイモ科、ヤマイモ属の学名 Dioscorea japonicaというイモであり、ナガイモ（Dioscorea batates）とは異なり、すりおろしたものが非常に粘性の高いものである。日本ではナガイモとは比べ物にならないほど人気が高く種々の料理に使用されている。しかし、非常に高価であることが難点となっている。
【０００９】
ツバキ科の植物には、ツバキ、サザンカ、チャ、サカキ等が含まれる。
このツバキ科の植物の幹や枝、根、葉を焼却した灰が本発明の灰である。この灰を使用すると、自然薯の種イモの植え付けたときの腐敗率が大きく減少した。
【００１０】
このような効果は、試行錯誤によって、種々ためして発見したものであり、そこの理屈は不明である。
【発明の効果】
【００１１】
本発明には次のような大きな利点がある。
（１）  処理剤自体はツバキ科の植物を焼却するだけでよく、安価で簡単に入手できる。
（２）  処理剤を塗布するだけで、植え付けた種イモの腐敗が大きく減少する。その結果、育成比率が大きくなり、その結果安価に栽培できることになる。
【図面の簡単な説明】
【００１２】
【図１】種イモの斜視図である。
【発明を実施するための形態】
【００１３】
以下実施例に従って本発明をより詳細に説明する。
ツバキの枝を焼却した灰を準備した。
自然薯の種イモを２０〜６０ｇの大きさにする。これは長いものを数ｃｍ〜十数ｃｍに裁断したものである。これの切り口（左右２面）に上記した灰を全体にまぶした。まぶす程度は、通常の種イモ処理のときに灰をつける程度でよい。これを５０個準備した。また、比較例として、通常の藁の灰をまぶしたものも５０個準備した。図１はこの種イモ１の斜視図である。切り口２に（裏面も）灰を塗布している。
【００１４】
これを通常の自然薯の栽培用の畑に植え付けた。そして、１週間後に出芽率を比較した。
本発明実施例では、５０個のうち４２個が出芽した。しかし比較例では、５０個のうち２４個であった。
【００１５】
このように出芽率に大きな違いがあり、本発明の効果が明らかになった。
【符号の説明】
【００１６】
１  種イモ
２  切り口
【図１】
2015147741.tif 000003
(57)【要約】【課題】新聞を配送する際に入れる袋を広告媒体とすることで販売店の袋のコストを広告費として解消できる広告付き新聞配送袋を提供する【解決手段】新聞の配送袋の裏表に広告を設けた、広告付き新聞配送袋を特徴とする。【選択図】図１
2015075755.tif 000002
【特許請求の範囲】
【請求項１】
新聞を配送する際に入れる袋に広告を印刷した、広告付き新聞配送袋
【発明の詳細な説明】
【技術分野】
【０００１】この発明は、新聞を配送する時に入れる袋に広告を設けた、広告付き新聞配送袋に関するものである。
【背景技術】
【０００２】従来新聞を配送する際に雨から守るためだけに使うものになっていた。
【先行技術文献】
【特許文献】
【０００３】
【特許文献１】
【発明の概要】
【発明が解決しようとする課題】
【０００４】  これは、次のような欠点があった。
従来新聞を配送する際に雨から守るために必要だったが、結果ゴミになるうえに販売店  側の経費の重荷になっていた。
本発明は、以上のような欠点をなくすためになされたものである。
【課題を解決する手段】
【０００５】新聞の配送袋の裏表に広告を設け、コストの重荷になっているビニールの製作費を広告主に負担してもらう。
本発明は、以上の構成よりなる広告付き新聞配送袋である。
【発明の効果】
【０００６】  （イ）販売店側は重荷となっている新聞配送袋のコストを下げることができる。
（ロ）広告主側は新聞の新聞配送袋という媒体を通して宣伝できる。
【図面の簡単な説明】
【０００７】
【図１】正面図
【発明を実施するための形態】
【０００８】  以下、本発明を実施するための形態について説明する。
新聞配送袋の両面に広告スペースを設け、広告スペースに広告主の希望する広告を印刷  する。
本発明は以上のような構造である。
【符号の説明】
【０００９】  １新聞配送袋
２広告
【図１】
2015075755.tif 000003
(57)【要約】      （修正有）【課題】外装の絵柄を容易に交換することができる万華鏡を提供する。【解決手段】複数枚の鏡を筒状に組み合わせた万華鏡ミラー９と、万華鏡用映像ソフト１０を取り付けた内筒とから成るミラーユニット２と、外側に絵柄を現して筒状に丸めた外装シートと、透明な外筒から成り、この外筒の内側に、外側に絵柄を現した外装シートを挿入し、その内側にミラーユニットを挿入し、かつ、ミラーユニットと外筒とを取り外し可能に固定して万華鏡を構成し、ミラーユニットを外筒から抜き出すことにより、絵柄を現した外装シートを交換しやすくしている。【選択図】図３
2015075756.tif 000002
【特許請求の範囲】
【請求項１】
複数枚の鏡を筒状に組み合わせた万華鏡ミラーと、万華鏡用映像ソフトを取り付けた内筒とから成るミラーユニットと、外側に絵柄を現して筒状に丸めた外装シートと、透明な外筒から成り、この外筒の内側に、外側に絵柄を現した外装シートを挿入し、その内側にミラーユニットを挿入し、かつ、ミラーユニットと外筒とが取り外し可能に固定され、ミラーユニットを外筒から抜き出すことにより、絵柄を現した外装シートを交換しやすくしたことを特徴とする万華鏡。
【発明の詳細な説明】
【技術分野】
【０００１】  本発明は、万華鏡に関する。
【背景技術】
【０００２】  従来の万華鏡の外装の絵柄は、製造段階で作り込まれるものであり、完成後に、販売店やユーザーが交換することは考慮されていない。【０００３】  従って、従来の万華鏡の外装の絵柄は、飽きても、絵柄のみの交換ができにくいという問題があった。【０００４】  また、販売側からすれば、絵柄が日焼けにより変色したり、流行から外れても万華鏡本体を入れ替えるしかなく、損失が大きいという問題があった。
【発明の開示】
【発明が解決しようとする課題】
【０００５】  本発明は以上のような従来の万華鏡の問題点に鑑み、外装の絵柄を容易に交換することができる万華鏡を提供することを目的とする。【０００６】  本発明の前記ならびにそのほかの目的と新規な特徴は、次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】  上記目的を達成するために、本発明は複数枚の鏡を筒状に組み合わせた万華鏡ミラーと、万華鏡用映像ソフトを取り付けた内筒とから成るミラーユニットと、外側に絵柄を現して筒状に丸めた外装シートと、透明な外筒から成り、この外筒の内側に、外側に絵柄を現した外装シートを挿入し、その内側にミラーユニットを挿入し、かつ、ミラーユニットと外筒とを取り外し可能に固定して万華鏡を構成し、ミラーユニットを外筒から抜き出すことにより、絵柄を現した外装シートを交換しやすくしている。
【発明の効果】
【０００８】  以上の説明から明らかなように、本発明にあっては次に列挙する効果が得られる。【０００９】    購入した万華鏡の外装の絵柄に飽きれば、絵柄のみの交換が容易にできる。【００１０】    万華鏡の外装の絵柄をマイナーチェンジしたいという購入者の要望に容易に応えることができる。
例えば、自分で映した写真や描いた絵を絵柄として、使用できる。
印刷物の絵や写真を切り抜いて使用するのも楽しい。【００１１】    また、販売側からすれば、絵柄が日焼けにより変色したり、流行から外れても絵柄のみの交換で対応でき、損失が少ない。
【発明を実施するための最良の形態】
【００１２】  以下、図面に示す発明を実施するための最良の形態により、本発明を詳細に説明する。【００１３】  図１ないし図４に示す発明を実施するための最良の実施の形態において、１Ａは本発明の外装の絵柄が容易に交換できる万華鏡の構成である。
この外装の絵柄が容易に交換できる万華鏡１は、複数枚の鏡を筒状に組み合わせた万華鏡ミラー９と、万華鏡用映像ソフト１０取り付けた内筒８とから成るミラーユニット２と、外側に絵柄を現して筒状に丸めた外装シート３と、透明な外筒４から構成されている。
ミラーユニット２の内筒８にはメスのネジ穴５が設けられており、透明な外筒４には、これにミラーユニット２を差し込んだとき、ネジ穴５に対応する部分にネジの取り付け穴６が穿けられている。
この透明な外筒４の内側に、外側に絵柄を現した外装シート３を挿入し、その内側にミラーユニット２を挿入し、外筒４に穿けられた取り付け穴６に固定ネジ７を差込み、ミラーユニット２の内筒８に設けられたメスのネジ穴５に捩じ込み固定する。【００１４】    上記の構成になっているため、外筒４とミラーユニット２が取り外し可能に固定され、ミラーユニット２を外筒４から抜き出すことにより、絵柄を現した外装シート３を容易に交換できる。【００１５】  絵柄を現した外装シート３を交換するには、固定ネジ７を緩めて抜き取り、ミラーユニット２を抜き出し、外装シート３を取り出して新しい外装シート３を挿入する。その内側にミラーユニット２を挿入し、外筒４に穿けられた取り付け穴６に固定ネジ７を差込み、ミラーユニット２の内筒８に設けられたメスのネジ穴５に捩じ込み固定する。
【産業上の利用可能性】
【００１６】  本発明は、万華鏡の製造に利用することができる。
【図面の簡単な説明】
【００１７】
【図１】本発明を実施するための最良の形態の外形図。
【図２】本発明を実施するための最良の形態の構成説明図。
【図３】本発明を実施するための最良の形態のミラーユニットの外形図。
【図４】本発明を説明するための内筒と外筒と外装シートと固定ネジの位置関係を示す断面図。
【符号の説明】
【００１８】１、１Ａ、１Ｂ、外装の絵柄が容易に交換できる万華鏡  ２、ミラーユニット  ３、外側に絵柄を現した外装シート  ４、透明な外筒  ５、ネジ穴  ６、取り付け穴  ７、固定ネジ  ８、内筒  ９、万華鏡ミラー  １０、映像ソフト
【図３】
2015075756.tif 000003
【図４】
2015075756.tif 000004
【手続補正書】
【提出日】平成25年12月5日(2013.12.5)
【手続補正１】
【補正対象書類名】図面
【補正対象項目名】全図
【補正方法】変更
【補正の内容】
【図１】
2015075756.tif 000005
【図２】
2015075756.tif 000006
【図３】
2015075756.tif 000007
【図４】
2015075756.tif 000008